(57)【要約】【課題】光源部の駆動に要するコストの増大を抑制する。【解決手段】表示装置は、表示パネル２と、表示パネル２を背面から照明するバックライト部３と、を備える。バックライト部３は、光源部３１，３２と、光源部３１，３２に駆動信号を出力して、１フレーム期間において光源部３１を第１駆動期間の間駆動し、かつ、光源部３１の駆動開始後に光源部３２を第２駆動期間の間駆動する制御部３４と、を含む。制御部３４は、第１駆動期間と第２駆動期間とが重なる重畳期間を有するように、光源部３１，３２を駆動する。制御部３４は、重畳期間では、駆動信号として、光源部３１，３２を所定のパルス幅でオンオフさせるＰＷＭ信号を光源部３１，３２にそれぞれ出力する。制御部３４は、光源部３１に出力するＰＷＭ信号の位相と光源部３２に出力するＰＷＭ信号の位相とを互いにずらす。【選択図】図１
2013228436.tif 000002
【特許請求の範囲】
【請求項１】
１フレーム期間ごとにフレーム画像を表示する表示パネルと、
前記表示パネルを背面から照明するバックライト部と、
を備え、
前記バックライト部は、
前記表示パネルを照明する第１光源部と、
前記表示パネルを照明する第２光源部と、
前記第１光源部及び前記第２光源部に駆動信号を出力して、前記１フレーム期間において、前記第１光源部を第１駆動期間の間駆動し、かつ、前記第１光源部の駆動開始後に前記第２光源部を第２駆動期間の間駆動する制御部と、
を含み、
前記制御部は、前記第１駆動期間と前記第２駆動期間とが重なる重畳期間を有するように、前記第１光源部及び前記第２光源部を駆動し、
前記制御部は、前記重畳期間では、前記駆動信号として、前記第１光源部及び前記第２光源部を所定のパルス幅でオンオフさせるＰＷＭ信号を前記第１光源部及び前記第２光源部にそれぞれ出力し、かつ、前記第１光源部に出力する前記ＰＷＭ信号の位相と前記第２光源部に出力する前記ＰＷＭ信号の位相とを互いにずらすことを特徴とする表示装置。
【請求項２】
前記制御部は、前記重畳期間では、前記第１光源部のオン期間と前記第２光源部のオン期間とが重ならないように、前記第１光源部に出力する前記ＰＷＭ信号の位相と前記第２光源部に出力する前記ＰＷＭ信号の位相とを互いにずらすことを特徴とする請求項１記載の表示装置。
【請求項３】
前記制御部は、前記第１駆動期間の間、前記第１光源部に前記ＰＷＭ信号を出力し、前記第２駆動期間の間、前記第２光源部に前記ＰＷＭ信号を出力することを特徴とする請求項１または２記載の表示装置。
【請求項４】
前記制御部は、前記重畳期間以外の前記第１駆動期間の間、前記第１光源部に前記駆動信号として矩形波信号を出力して、前記第１光源部の電流値が第１電流値になるように前記第１光源部を駆動し、前記重畳期間以外の前記第２駆動期間の間、前記第２光源部に前記駆動信号として矩形波信号を出力して、前記第２光源部の電流値が第２電流値になるように前記第２光源部を駆動することを特徴とする請求項１または２記載の表示装置。
【請求項５】
前記制御部は、前記ＰＷＭ信号を出力するときの前記第１光源部のオン時の電流値を前記第１電流値より増大させ、前記ＰＷＭ信号を出力するときの前記第２光源部のオン時の電流値を前記第２電流値より増大させることを特徴とする請求項４記載の表示装置。
【請求項６】
前記制御部は、前記第１駆動期間の間、前記第１光源部の電流の実効値が一定になるように、前記第１光源部の電流値を設定し、前記第２駆動期間の間、前記第２光源部の電流の実効値が一定になるように、前記第２光源部の電流値を設定することを特徴とする請求項５記載の表示装置。
【請求項７】
前記第１光源部及び前記第２光源部は、それぞれ発光ダイオードを含むことを特徴とする請求項１ないし６のいずれか１項に記載の表示装置。
【請求項８】
１フレーム期間ごとにフレーム画像を表示する表示パネルと、前記表示パネルを背面から照明するバックライト部と、を備え、前記バックライト部は、前記表示パネルを照明する第１光源部と、前記表示パネルを照明する第２光源部と、を含む表示装置の制御方法であって、
前記第１光源部に駆動信号を出力して、前記１フレーム期間において前記第１光源部を第１駆動期間の間駆動する第１ステップと、
前記第２光源部に駆動信号を出力して、前記第１光源部の駆動開始後に前記第２光源部を第２駆動期間の間駆動する第２ステップと、
を含み、
前記第１ステップ及び前記第２ステップでは、前記第１駆動期間と前記第２駆動期間とが重なる重畳期間を有するように前記第１光源部及び前記第２光源部が駆動され、
前記第１ステップの前記重畳期間では、前記駆動信号として、前記第１光源部を所定のパルス幅でオンオフさせるＰＷＭ信号が前記第１光源部に出力され、
前記第２ステップの前記重畳期間では、前記駆動信号として、前記第２光源部を所定のパルス幅でオンオフさせるＰＷＭ信号が前記第２光源部に出力され、
前記第１ステップ及び前記第２ステップでは、前記第１光源部に出力する前記ＰＷＭ信号の位相と前記第２光源部に出力する前記ＰＷＭ信号の位相とが互いにずらされていることを特徴とする表示装置の制御方法。
【発明の詳細な説明】
【技術分野】
【０００１】
本発明は、表示パネルを背面から照明するバックライト部を備える表示装置及び表示装置の制御方法に関するものである。
【背景技術】
【０００２】
光変調素子として非自発光型の液晶を用いた表示パネルを備える表示装置は、表示パネルを背面から照明するバックライト部を備え、そのバックライト部から出射される光の透過率を液晶によって制御することで、任意の映像の表示を実現している。バックライト部の光源としては、発光ダイオードなどが用いられるため、発光ダイオードの駆動制御として、種々の提案がなされている（例えば特許文献１参照）。
【０００３】
特許文献１に記載の発光ダイオードの駆動装置では、複数の発光ダイオードを並列に接続し、各発光ダイオードに対して所定間隔で順に同一パルス幅でパルス通電を行う際に、並列接続した発光ダイオードごとに、パルス通電の１周期を所定周期ずつずらして順に駆動している。全ての発光ダイオードを同一タイミングで駆動すると全体として大電流のパルス駆動制御が行われ、これによってノイズが発生することになるが、上記の制御によって、発生するノイズを低減している。
【先行技術文献】
【特許文献】
【０００４】
【特許文献１】特開２００８−９１３１１号公報
【発明の概要】
【発明が解決しようとする課題】
【０００５】
しかしながら、上記特許文献１に記載の技術では、１フレーム期間において発光ダイオードを点灯させるときは一定輝度で点灯させており、並列接続された発光ダイオードの間で、点灯している期間が重なる重畳期間がある。このため、発光ダイオードを駆動するために必要な電流容量は、重畳期間がない場合に比べて、重畳期間において、同時に点灯する発光ダイオードの数だけ増大する。したがって、発光ダイオードの駆動に要するコストが増大する。
【０００６】
また、表示部を複数のエリアに分け、各エリアを照明する複数の光源部を有するバックライト部を備える表示装置において、１フレーム期間中にすべての光源部を消灯させて黒画像を表示させる期間を設けたり、各光源部を点灯させる位相をずらして表示部の一部のエリアにおいて黒画像を表示させる期間を設けたりする、黒挿入技術を採用するものが知られている。この技術により、ホールド型の液晶を用いた表示装置の表示をインパルス型の表示に近づけ、動画解像度の向上を図っている。この技術を採用する表示装置においても、１フレーム期間中での輝度を一定以上に保つ必要がある。また、この光源部を駆動させるための電源部として、複数の光源部が重畳して点灯する重畳期間に合わせた電流容量を備えた電源部を準備する必要がある。近年、各光源部には短い点灯期間で高い輝度が求められているため、特に複数の光源部が重畳して点灯する重畳期間に必要な電流容量が増大している。このため、電源部への負担が過大となってきている。
【０００７】
本発明は、上述した課題を解決するためになされたもので、高い動画解像度を実現しつつ、重畳期間に光源部を駆動するために必要な電流容量が増大するのを抑制し、これによって光源部の駆動に要するコストの増大を抑制し、電源部への負担を軽減することができる表示装置及び表示装置の制御方法を提供することを目的とする。
【課題を解決するための手段】
【０００８】
本発明に係る表示装置は、１フレーム期間ごとにフレーム画像を表示する表示パネルと、前記表示パネルを背面から照明するバックライト部と、を備え、前記バックライト部は、前記表示パネルを照明する第１光源部と、前記表示パネルを照明する第２光源部と、前記第１光源部及び前記第２光源部に駆動信号を出力して、前記１フレーム期間において、前記第１光源部を第１駆動期間の間駆動し、かつ、前記第１光源部の駆動開始後に前記第２光源部を第２駆動期間の間駆動する制御部と、を含み、前記制御部は、前記第１駆動期間と前記第２駆動期間とが重なる重畳期間を有するように、前記第１光源部及び前記第２光源部を駆動し、前記制御部は、前記重畳期間では、前記駆動信号として、前記第１光源部及び前記第２光源部を所定のパルス幅でオンオフさせるＰＷＭ信号を前記第１光源部及び前記第２光源部にそれぞれ出力し、かつ、前記第１光源部に出力する前記ＰＷＭ信号の位相と前記第２光源部に出力する前記ＰＷＭ信号の位相とを互いにずらす。
【０００９】
この構成によれば、表示パネルは、１フレーム期間ごとにフレーム画像を表示する。バックライト部は、表示パネルを背面から照明する。第１光源部は、表示パネルを照明する。第２光源部は、第１光源部と別に設けられ、表示パネルを照明する。制御部は、第１光源部及び第２光源部に駆動信号を出力して、１フレーム期間において、第１光源部を第１駆動期間の間駆動し、かつ、第１光源部の駆動開始後に第２光源部を第２駆動期間の間駆動する。１フレーム期間において、第１駆動期間以外の間は第１光源部が消灯し、第２駆動期間以外の間は第２光源部が消灯することにより、高い動画解像度を実現することができる。制御部は、第１駆動期間と第２駆動期間とが重なる重畳期間を有するように、第１光源部及び第２光源部を駆動する。制御部は、重畳期間では、駆動信号として第１光源部及び第２光源部を所定のパルス幅でオンオフさせるＰＷＭ信号を出力する。制御部は、第１光源部に出力するＰＷＭ信号の位相と第２光源部に出力するＰＷＭ信号の位相とを互いにずらす。したがって、第１光源部に出力するＰＷＭ信号の位相と第２光源部に出力するＰＷＭ信号の位相とが互いにずらされているため、重畳期間を有していても、第１光源部及び第２光源部が一定輝度で点灯して駆動期間が重なる場合に比べて、第１光源部及び第２光源部の駆動に必要な電流容量の増大幅を小さくすることができる。このため、重畳期間を有していても、重畳期間を有しない場合に比べて、第１光源部及び第２光源部の駆動に必要な電流容量が増大するのを抑制することができる。その結果、第１光源部及び第２光源部の駆動に要するコストの増大を抑制することができ、電源部への負担を軽減することができる。
【００１０】
上記表示装置において、前記制御部は、前記重畳期間では、前記第１光源部のオン期間と前記第２光源部のオン期間とが重ならないように、前記第１光源部に出力する前記ＰＷＭ信号の位相と前記第２光源部に出力する前記ＰＷＭ信号の位相とを互いにずらすことが好ましい。
【００１１】
この構成によれば、制御部は、重畳期間では、第１光源部のオン期間と第２光源部のオン期間とが重ならないように、第１光源部に出力するＰＷＭ信号の位相と第２光源部に出力するＰＷＭ信号の位相とを互いにずらす。したがって、第１光源部と第２光源部とが同時にオンされない。このため、重畳期間を有していても、第１光源部及び第２光源部の駆動に必要な電流容量は、重畳期間を有しない場合とほぼ等しい電流容量にすることができる。その結果、第１光源部及び第２光源部の駆動に要するコストの増大を防止することができる。
【００１２】
上記表示装置において、前記制御部は、前記第１駆動期間の間、前記第１光源部に前記ＰＷＭ信号を出力し、前記第２駆動期間の間、前記第２光源部に前記ＰＷＭ信号を出力することが好ましい。
【００１３】
この構成によれば、制御部は、第１駆動期間の間、第１光源部にＰＷＭ信号を出力し、第２駆動期間の間、第２光源部にＰＷＭ信号を出力する。したがって、第１光源部及び第２光源部を駆動するときは、制御部は、常にＰＷＭ信号を出力する。このため、上記構成によれば、制御構成を簡素化することができる。
【００１４】
上記表示装置において、前記制御部は、前記重畳期間以外の前記第１駆動期間の間、前記第１光源部に前記駆動信号として矩形波信号を出力して、前記第１光源部の電流値が第１電流値になるように前記第１光源部を駆動し、前記重畳期間以外の前記第２駆動期間の間、前記第２光源部に前記駆動信号として矩形波信号を出力して、前記第２光源部の電流値が第２電流値になるように前記第２光源部を駆動することが好ましい。
【００１５】
この構成によれば、制御部は、重畳期間以外の第１駆動期間の間、第１光源部に駆動信号として矩形波信号を出力して、第１光源部の電流値が第１電流値になるように第１光源部を駆動する。制御部は、重畳期間以外の第２駆動期間の間、第２光源部に駆動信号として矩形波信号を出力して、第２光源部の電流値が第２電流値になるように第２光源部を駆動する。第１光源部及び第２光源部にＰＷＭ信号を出力して第１光源部及び第２光源部を所定のパルス幅でオンオフさせる場合には、第１光源部及び第２光源部の輝度が低下するおそれがある。しかし、上記構成によれば、重畳期間以外の第１駆動期間は、矩形波信号により第１光源部の電流値が第１電流値になるように第１光源部が駆動され、重畳期間以外の第２駆動期間は、矩形波信号により第２光源部の電流値が第２電流値になるように第２光源部が駆動される。このため、第１光源部及び第２光源部の輝度の低下を抑制することができる。
【００１６】
上記表示装置において、前記制御部は、前記ＰＷＭ信号を出力するときの前記第１光源部のオン時の電流値を前記第１電流値より増大させ、前記ＰＷＭ信号を出力するときの前記第２光源部のオン時の電流値を前記第２電流値より増大させることが好ましい。
【００１７】
この構成によれば、制御部は、ＰＷＭ信号を出力するときの第１光源部のオン時の電流値を第１電流値より増大させる。制御部は、ＰＷＭ信号を出力するときの第２光源部のオン時の電流値を第２電流値より増大させる。したがって、第１光源部及び第２光源部にＰＷＭ信号を出力して第１光源部及び第２光源部を所定のパルス幅でオンオフさせても、第１光源部及び第２光源部の輝度が低下しないようにすることができる。
【００１８】
上記表示装置において、前記制御部は、前記第１駆動期間の間、前記第１光源部の電流の実効値が一定になるように、前記第１光源部の電流値を設定し、前記第２駆動期間の間、前記第２光源部の電流の実効値が一定になるように、前記第２光源部の電流値を設定することが好ましい。
【００１９】
この構成によれば、制御部は、第１駆動期間の間、第１光源部の電流の実効値が一定になるように、第１光源部の電流値を設定する。制御部は、第２駆動期間の間、第２光源部の電流の実効値が一定になるように、第２光源部の電流値を設定する。したがって、第１光源部及び第２光源部の輝度を、それぞれの駆動期間の間、一定にすることができる。
【００２０】
上記表示装置において、前記第１光源部及び前記第２光源部は、それぞれ発光ダイオードを含むことが好ましい。
【００２１】
この構成によれば、第１光源部及び第２光源部は、それぞれ発光ダイオードを含む。発光ダイオードは、駆動信号に対する応答が極めて速い。したがって、制御部から第１光源部及び第２光源部にＰＷＭ信号が出力されると、第１光源部及び第２光源部の発光ダイオードは、所定のパルス幅で好適にオンオフすることができる。
【００２２】
本発明に係る表示装置の制御方法は、１フレーム期間ごとにフレーム画像を表示する表示パネルと、前記表示パネルを背面から照明するバックライト部と、を備え、前記バックライト部は、前記表示パネルを照明する第１光源部と、前記表示パネルを照明する第２光源部と、を含む表示装置の制御方法であって、前記第１光源部に駆動信号を出力して、前記１フレーム期間において前記第１光源部を第１駆動期間の間駆動する第１ステップと、前記第２光源部に駆動信号を出力して、前記第１光源部の駆動開始後に前記第２光源部を第２駆動期間の間駆動する第２ステップと、を含み、前記第１ステップ及び前記第２ステップでは、前記第１駆動期間と前記第２駆動期間とが重なる重畳期間を有するように前記第１光源部及び前記第２光源部が駆動され、前記第１ステップの前記重畳期間では、前記駆動信号として、前記第１光源部を所定のパルス幅でオンオフさせるＰＷＭ信号が前記第１光源部に出力され、前記第２ステップの前記重畳期間では、前記駆動信号として、前記第２光源部を所定のパルス幅でオンオフさせるＰＷＭ信号が前記第２光源部に出力され、前記第１ステップ及び前記第２ステップでは、前記第１光源部に出力する前記ＰＷＭ信号の位相と前記第２光源部に出力する前記ＰＷＭ信号の位相とが互いにずらされている。
【００２３】
この構成によれば、第１ステップは、第１光源部に駆動信号を出力して、１フレーム期間において第１光源部を第１駆動期間の間駆動する。第２ステップは、第２光源部に駆動信号を出力して、第１光源部の駆動開始後に第２光源部を第２駆動期間の間駆動する。１フレーム期間において、第１駆動期間以外の間は第１光源部が消灯し、第２駆動期間以外の間は第２光源部が消灯することにより、高い動画解像度を実現することができる。第１ステップ及び第２ステップでは、第１駆動期間と第２駆動期間とが重なる重畳期間を有するように第１光源部及び第２光源部が駆動される。第１ステップの重畳期間では、駆動信号として、第１光源部を所定のパルス幅でオンオフさせるＰＷＭ信号が第１光源部に出力される。第２ステップの重畳期間では、駆動信号として、第２光源部を所定のパルス幅でオンオフさせるＰＷＭ信号が第２光源部に出力される。第１ステップ及び第２ステップでは、第１光源部に出力するＰＷＭ信号の位相と第２光源部に出力するＰＷＭ信号の位相とが互いにずらされている。したがって、第１光源部に出力するＰＷＭ信号の位相と第２光源部に出力するＰＷＭ信号の位相とが互いにずらされているため、重畳期間を有していても、第１光源部及び第２光源部が一定輝度で点灯して駆動期間が重なる場合に比べて、第１光源部及び第２光源部の駆動に必要な電流容量の増大幅を小さくすることができる。このため、重畳期間を有していても、重畳期間を有しない場合に比べて、第１光源部及び第２光源部の駆動に必要な電流容量が増大するのを抑制することができる。その結果、第１光源部及び第２光源部の駆動に要するコストの増大を抑制することができ、電源部への負担を軽減することができる。
【発明の効果】
【００２４】
本発明によれば、重畳期間では、第１及び第２光源部を所定のパルス幅でオンオフさせるＰＷＭ信号が出力され、第１光源部に出力されるＰＷＭ信号の位相と第２光源部に出力されるＰＷＭ信号の位相とが互いにずらされている。したがって、重畳期間を有していても、第１及び第２光源部が一定輝度で点灯して駆動期間が重なる場合に比べて、第１及び第２光源部の駆動に必要な電流容量の増大幅を小さくすることができる。このため、重畳期間に第１及び第２光源部の駆動に必要な電流容量が増大するのを抑制することができる。その結果、第１及び第２光源部の駆動に要するコストの増大を抑制することができ、電源部への負担を軽減することができる。
【図面の簡単な説明】
【００２５】
【図１】本発明の第１実施形態の表示装置の構成を示すブロック図である。
【図２】第１実施形態におけるバックライト部の光源部の配置を模式的に示す図である。
【図３】図１に示される表示装置において制御部により行われる光源部の駆動動作の一例を示すタイミングチャートである。
【図４】図１に示される表示装置において制御部により行われる光源部の動作の変形形態を示すタイミングチャートである。
【図５】本発明の第２実施形態の表示装置の構成を示すブロック図である。
【図６】第２実施形態におけるバックライト部の光源部の配置を模式的に示す図である。
【図７】図５に示される表示装置において制御部により行われる光源部の駆動動作の一例を示すタイミングチャートである。
【発明を実施するための形態】
【００２６】
以下、図面を参照しつつ、本発明の一実施形態における表示装置が説明される。
【００２７】
（第１実施形態）
図１は、本発明の第１実施形態の表示装置の構成を示すブロック図である。図２は、第１実施形態におけるバックライト部の光源部の配置を模式的に示す図である。
【００２８】
図１に示される表示装置は、信号処理部１、液晶表示パネル２、バックライト部３を備える。信号処理部１は、外部からの入力映像信号に基づき、液晶表示パネル２を制御する制御信号及びバックライト部３を制御する制御信号を生成し、それぞれ液晶表示パネル２及びバックライト部３に出力する。液晶表示パネル２は、図示を省略しているが、水平方向に延びる複数のゲート線、垂直方向に延びる複数のソース線、スイッチング素子及び複数の画素を備え、複数のソース線及び複数のゲート線の交点にマトリクス状に複数の画素が配置される。
【００２９】
信号処理部１から出力される制御信号に基づき、液晶表示パネル２のマトリクス状に配置された画素のうち、例えば図２中、液晶表示パネル２の上端の画素から下端の画素まで順番に、１フレームごとに画像データが１回書き込まれる。液晶表示パネル２は、その書き込まれた画像データを次の画像データの書込みまで１フレーム期間、保持するホールド型の表示部である。このように、液晶表示パネル２は、信号処理部１から出力される制御信号に基づき、１フレーム期間ごとにフレーム画像を表示する。本実施形態の表示装置は、液晶表示パネル２として、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの駆動方式の液晶表示パネルを用いてもよい。本実施形態では、例えばＩＰＳ方式の液晶表示パネルが用いられる。
【００３０】
バックライト部３は、液晶表示パネル２の背面から液晶表示パネル２を照明する。本実施形態の表示装置は、バックライト部３として、エッジライト方式及び直下型方式のいずれの照明方式のバックライト部を用いてもよい。本実施形態では、例えばエッジライト方式のバックライト部が用いられる。バックライト部３は、光源部３１，３２、電源部３３、制御部３４を備える。
【００３１】
図２に示されるように、光源部３１は、例えば直列接続された複数の発光ダイオード（ＬＥＤ）を含む。光源部３１の複数のＬＥＤは、液晶表示パネル２の上端に沿って配置されている。光源部３１は、液晶表示パネル２の上半部を照明する。光源部３２は、光源部３１と同様に例えば直列接続された複数の発光ダイオード（ＬＥＤ）を含む。光源部３２の複数のＬＥＤは、液晶表示パネル２の下端に沿って配置されている。光源部３２は、液晶表示パネル２の下半部を照明する。電源部３３は、光源部３１，３２及び制御部３４に電源を供給する。
【００３２】
制御部３４は、光源部３１，３２の点灯及び消灯をそれぞれ制御する。制御部３４は、信号処理部１から出力される制御信号に基づき、１フレーム期間に対する光源部３１，３２の点灯デューティ比をそれぞれ設定する。制御部３４は、例えば、液晶表示パネル２に表示されるフレーム画像の輝度が高い場合には、低い場合に比べて、点灯デューティ比をより高い値に設定する。また、制御部３４は、例えば、液晶表示パネル２の周辺の輝度が高い場合には、低い場合に比べて、点灯デューティ比をより高い値に設定する。制御部３４は、設定した点灯デューティ比に基づき、光源部３１，３２を駆動する駆動期間をそれぞれ決定する。制御部３４は、光源部３１，３２に駆動信号を出力して、決定した駆動期間の間、光源部３１，３２を駆動して点灯させる。点灯デューティ比は、
点灯デューティ比＝（駆動期間／１フレーム期間）
で表される。
【００３３】
図３は、図１に示される表示装置において制御部３４により行われる光源部３１，３２の駆動動作の一例を示すタイミングチャートである。図３のセクション（Ａ）は、本実施形態において光源部３１に流れる電流を示す。図３のセクション（Ｂ）は、本実施形態において光源部３２に流れる電流を示す。図３のセクション（Ｃ）は、本実施形態において電源部３３から光源部３１，３２に供給される全体の電流を示す。図３のセクション（Ｄ）は、比較例において光源部３１に流れる電流を示す。図３のセクション（Ｅ）は、比較例において光源部３２に流れる電流を示す。図３のセクション（Ｆ）は、比較例において電源部から光源部３１，３２に供給される全体の電流を示す。以下、図１〜図３を用いて、本実施形態及び比較例における光源部３１，３２の駆動動作が説明される。
【００３４】
本実施形態では、図３に示されるように、制御部３４は、１フレーム期間Ｔｆにおける光源部３１，３２の駆動期間として、光源部３１を駆動期間Ｔ１に決定し、光源部３２を駆動期間Ｔ２に決定する。図３から分かるように、Ｔ１＜Ｔｆ、Ｔ２＜Ｔｆである。本実施形態では、設定された点灯デューティ比を実現するために、１フレーム期間Ｔｆにおいて、駆動期間Ｔ１と駆動期間Ｔ２とは、重畳期間Ｔｓだけ重畳している。
【００３５】
また、制御部３４は、液晶表示パネル２における画素に対する画像データの書込み順（つまり図２中、上端から下端に向かう順）に合わせて、まず光源部３１を駆動して点灯させ、光源部３１の駆動開始後に、光源部３２を駆動して点灯させる。すなわち、制御部３４は、１フレーム期間Ｔｆの開始時に光源部３１の駆動を開始して光源部３１を点灯させ、駆動期間Ｔ１の経過時に光源部３１の駆動を終了して光源部３１を消灯させる。また、制御部３４は、１フレーム期間Ｔｆの終了時から駆動期間Ｔ２前の時点で光源部３２の駆動を開始して光源部３２を点灯させ、駆動期間Ｔ２の経過時（つまり１フレーム期間Ｔｆの終了時）に光源部３２の駆動を終了して光源部３２を消灯させる。
【００３６】
なお、本実施形態では、制御部３４は、１フレーム期間Ｔｆの開始時に光源部３１の駆動を開始しているが、これに限られない。例えば、制御部３４は、１フレーム期間Ｔｆの開始後に、光源部３１の駆動を開始してもよい。また、本実施形態では、制御部３４は、１フレーム期間Ｔｆの終了時に光源部３２の駆動を終了しているが、これに限られない。例えば、制御部３４は、１フレーム期間Ｔｆの終了前に光源部３２の駆動が終了するように、光源部３２の駆動開始を早めてもよい。
【００３７】
まず、図３のセクション（Ｄ）〜（Ｆ）を用いて比較例の動作が説明される。比較例では、図３のセクション（Ｄ）に示されるように、駆動期間Ｔ１の間、光源部３１に一定電流Ｉｒが供給される。また、図３のセクション（Ｅ）に示されるように、駆動期間Ｔ２の間、光源部３２に一定電流Ｉｒが供給される。その結果、光源部３１，３２は、それぞれ、一定電流Ｉｒに応じた一定輝度で点灯する。この場合には、光源部３１，３２に電流を供給する比較例の電源部は、駆動期間Ｔ１の間は、光源部３１に電流Ｉｒを供給し、駆動期間Ｔ２の間は、光源部３２に電流Ｉｒを供給する。その結果、比較例の電源部は、重畳期間Ｔｓの間は、光源部３１，３２に合計で電流２Ｉｒを供給する。したがって、比較例の電源部は、電流２Ｉｒを供給できる容量を有することが必要になる。
【００３８】
次に、図３のセクション（Ａ）〜（Ｃ）を用いて本実施形態の動作が説明される。本実施形態では、図３のセクション（Ａ）、（Ｂ）に示されるように、制御部３４は、光源部３１，３２に、所定のパルス幅Ｔｐでオンオフを繰り返すＰＷＭ信号を出力する。このＰＷＭ信号によって、光源部３１は、駆動期間Ｔ１の間、パルス幅Ｔｐでオンオフを繰り返し、光源部３２は、駆動期間Ｔ２の間、パルス幅Ｔｐでオンオフを繰り返す。つまり、制御部３４は、ＰＷＭ信号による光源部３１，３２のデューティを５０％に設定する。このとき、制御部３４は、光源部３１，３２に供給される電流のピーク値が１．４ＩｒのＰＷＭ信号を出力する。
【００３９】
ここで、重畳期間Ｔｓにおける、ＰＷＭ信号による光源部３１，３２のデューティが５０％になっている。このため、制御部３４が、光源部３１，３２に供給される電流のピーク値を１．４Ｉｒに設定することにより、光源部３１，３２に供給される電流の実効値は、一定電流Ｉｒが供給される場合と等しくなる。したがって、光源部３１，３２は、それぞれ、重畳期間Ｔｓにおいて、一定電流Ｉｒが供給される場合の輝度に等しい輝度で点灯する。
【００４０】
また、制御部３４は、重畳期間Ｔｓにおいて、光源部３１のオンオフの位相と光源部３２のオンオフの位相とが逆になるように、位相をずらせたＰＷＭ信号を光源部３１，３２に出力する。つまり、光源部３１と光源部３２とは、重畳期間Ｔｓでは、同時に電流が供給されず、同時にオンしない。その結果、電源部３３は、重畳期間Ｔｓの間は、光源部３１，３２に合計で電流１．４Ｉｒを供給することになる。したがって、電源部３３は、電流１．４Ｉｒを供給できる電流容量を有することが必要になる。この電流容量は、比較例の電源部に必要な電流容量２Ｉｒの７０％になっている。
【００４１】
光源部３１の駆動期間Ｔ１のうち、重畳期間Ｔｓ以外の期間Ｔｃ１の間に電源部３３から光源部３１に供給される電流の実効値は、比較例と同様にＩｒである。また、光源部３２の駆動期間Ｔ２のうち、重畳期間Ｔｓ以外の期間Ｔｃ２の間に電源部３３から光源部３２に供給される電流の実効値も、比較例と同様にＩｒである。本実施形態において、光源部３１が第１光源部の一例に相当し、光源部３２が第２光源部の一例に相当し、駆動期間Ｔ１が第１駆動期間の一例に相当し、駆動期間Ｔ２が第２駆動期間の一例に相当する。なお、光源部３１の駆動期間Ｔ１は、制御部３４から出力されるＰＷＭ信号により光源部３１がオフする期間を含む。同様に、光源部３２の駆動期間Ｔ２は、制御部３４から出力されるＰＷＭ信号により光源部３２がオフする期間を含む。
【００４２】
以上説明したように、本実施形態では、制御部３４は、光源部３１の駆動期間Ｔ１の間、光源部３１にＰＷＭ信号を出力し、光源部３２の駆動期間Ｔ２の間、光源部３２にＰＷＭ信号を出力する。また、制御部３４は、重畳期間Ｔｓの間、光源部３１，３２に出力するＰＷＭ信号のオンオフの位相を、光源部３１と光源部３２とで反対にしている。その結果、電源部３３に必要な電流容量を、一定電流を供給する比較例の電源部に比べて、低減することが可能になっている。したがって、本実施形態によれば、光源部３１，３２の駆動に要するコスト、例えば電源部３３の製造コストを低減することができる。
【００４３】
また、本実施形態では、比較例に比べて、光源部３１，３２に供給する電流のピーク値が７０％に低下している。その結果、負荷変動が比較例に比べて小さくなる。つまり、比較例では、電流２Ｉｒと電流Ｉｒとの間で変動するのに対して、本実施形態では、電流１．４Ｉｒと電流Ｉｒとの間で変動しており、本実施形態の負荷変動は比較例の負荷変動に比べて小さい。このため、電源部３３を比較例の電源部に比べて容易に設計することができ、設計コストを低減することができる。
【００４４】
また、本実施形態では、制御部３４は、ＰＷＭ信号を出力する間に光源部３１，３２に供給する電流のピーク値を、光源部３１，３２に一定電流を供給する場合の１．４倍にしている。これによって、ＰＷＭ信号によりオンオフを繰り返しつつ駆動しているにもかかわらず、光源部３１，３２の輝度が低下するのを防止できる。
【００４５】
また、本実施形態では、制御部３４は、１フレーム期間Ｔｆにおける光源部３１の駆動期間Ｔ１をＴ１＜Ｔｆとし、駆動期間Ｔ１以外の間は光源部３１を消灯している。また、制御部３４は、１フレーム期間Ｔｆにおける光源部３２の駆動期間Ｔ２をＴ２＜Ｔｆとし、駆動期間Ｔ２以外の間は光源部３２を消灯している。これによって、高い動画解像度を実現することができる。
【００４６】
なお、図３の動作では、制御部３４は、光源部３１の駆動期間Ｔ１の間、光源部３１にＰＷＭ信号を出力し、光源部３２の駆動期間Ｔ２の間、光源部３２にＰＷＭ信号を出力しているが、これに限られない。例えば、制御部３４は、重畳期間Ｔｓの間だけ、光源部３１，３２にＰＷＭ信号を出力するようにしてもよい。
【００４７】
図４は、図１に示される表示装置において制御部３４により行われる光源部３１，３２の動作の変形形態を示すタイミングチャートである。図４のセクション（Ａ）は、本変形形態において光源部３１に流れる電流を示す。図４のセクション（Ｂ）は、本変形形態において光源部３２に流れる電流を示す。図４のセクション（Ｃ）は、本変形形態において電源部３３から光源部３１，３２に供給される全体の電流を示す。以下、図１、図４を用いて、本変形形態における光源部３１，３２の駆動動作が説明される。
【００４８】
本変形形態では、図４のセクション（Ａ）に示されるように、制御部３４は、駆動期間Ｔ１のうち重畳期間Ｔｓ以外の期間Ｔｃ１は、光源部３１に一定電流Ｉｒが供給されるように、駆動信号として矩形波信号を光源部３１に出力し、重畳期間Ｔｓの間のみ、光源部３１にピーク電流１．４Ｉｒが供給されるように、ＰＷＭ信号を光源部３１に出力する。また、図４のセクション（Ｂ）に示されるように、制御部３４は、駆動期間Ｔ２のうち重畳期間Ｔｓ以外の期間Ｔｃ２は、光源部３２に一定電流Ｉｒが供給されるように、駆動信号として矩形波信号を光源部３２に出力し、重畳期間Ｔｓの間のみ、光源部３２にピーク電流１．４Ｉｒが供給されるように、ＰＷＭ信号を光源部３２に出力する。
【００４９】
このように、図４に示される動作は、制御部３４が光源部３１，３２に重畳期間Ｔｓの間のみＰＷＭ信号を出力する以外は、図３に示される動作と同様である。すなわち、光源部３１，３２は、ＰＷＭ信号によって、それぞれパルス幅Ｔｐでオンオフを繰り返す。このとき、制御部３４は、光源部３１，３２に供給される電流のピーク値が１．４ＩｒのＰＷＭ信号を出力する。その結果、光源部３１，３２に供給される電流の実効値は、一定電流Ｉｒが供給される場合と等しくなる。したがって、光源部３１，３２は、制御部３４から駆動信号として矩形波信号が出力されて、光源部３１，３２に一定電流Ｉｒが供給される場合に等しい輝度で、それぞれ点灯する。
【００５０】
また、制御部３４は、図３に示される動作と同様に、重畳期間Ｔｓにおいて、光源部３１のオンオフの位相と光源部３２のオンオフの位相とが逆になるように、位相をずらせたＰＷＭ信号を光源部３１，３２に出力する。つまり、光源部３１と光源部３２とは、重畳期間Ｔｓでは、同時に電流が供給されず、同時にオンしない。その結果、電源部３３は、重畳期間Ｔｓの間は、光源部３１，３２に合計で電流１．４Ｉｒを供給する。したがって、電源部３３は、図３の場合と同様に、電流１．４Ｉｒを供給できる電流容量を有することが必要になる。この電流容量は、図３を用いて説明した比較例の電源部に必要な電流容量２Ｉｒの７０％になっている。図４に示される動作において、制御部３４から出力される矩形波信号により電流Ｉｒが供給されて点灯する光源部３１の輝度が第１輝度の一例に相当し、制御部３４から出力される矩形波信号により電流Ｉｒが供給されて点灯する光源部３２の輝度が第２輝度の一例に相当し、制御部３４から出力されるＰＷＭ信号によりピーク電流１．４Ｉｒが供給されてオンする光源部３１のピーク輝度が第１光源部のオン時の輝度の一例に相当し、制御部３４から出力されるＰＷＭ信号によりピーク電流１．４Ｉｒが供給されてオンする光源部３２のピーク輝度が第２光源部のオン時の輝度の一例に相当する。
【００５１】
以上のように、図４に示される動作でも、図３に示される動作の場合と同様に、電源部３３の電流容量を図３に示される比較例に比べて低減することができる。また、図４に示される動作では、図３に示される動作と比べて、ピーク電流１．４Ｉｒが光源部３１，３２に供給される期間が減少する。その結果、図４に示される動作では、図３に示される動作と比べて、光源部３１，３２の寿命低下を抑制することができる。
【００５２】
（第２実施形態）
上記第１実施形態では、バックライト部３は、液晶表示パネル２の上端に沿って配置された光源部３１と液晶表示パネル２の下端に沿って配置された光源部３２との２個の光源部を備えているが、これに限られない。バックライト部は、例えば３個以上の光源部を備えるようにしてもよい。
【００５３】
図５は、本発明の第２実施形態の表示装置の構成を示すブロック図である。図６は、第２実施形態におけるバックライト部の光源部の配置を模式的に示す図である。第２実施形態では、第１実施形態と同様の要素に対して、同様の符号が割り当てられている。以下、第１実施形態との相違点を中心に、本発明の第２実施形態の表示装置が説明される。
【００５４】
第２実施形態の表示装置は、第１実施形態の表示装置において、バックライト部３に代えてバックライト部３ａを備える。バックライト部３ａは、第１実施形態のバックライト部３において、光源部３１，３２に代えて、光源部３５，３６，３７，３８を備える。第２実施形態の表示装置のその他の構成は、図１に示される第１実施形態の表示装置と同様である。
【００５５】
光源部３５，３６，３７，３８は、第１実施形態の光源部３１，３２と同様に構成されている。すなわち、光源部３５，３６，３７，３８は、それぞれ、例えば直列に接続された複数のＬＥＤを含む。図６に示されるように、光源部３５は、液晶表示パネル２の上端の左半部に配列され、光源部３６は、液晶表示パネル２の上端の右半部に配列され、光源部３７は、液晶表示パネル２の下端の左半部に配列され、光源部３８は、液晶表示パネル２の下端の右半部に配列されている。
【００５６】
図７は、図５に示される表示装置において制御部３４により行われる光源部３５〜３８の駆動動作の一例を示すタイミングチャートである。図７のセクション（Ａ）は、本実施形態において光源部３５に流れる電流を示す。図７のセクション（Ｂ）は、本実施形態において光源部３６に流れる電流を示す。図７のセクション（Ｃ）は、本実施形態において電源部３３から光源部３５〜３８に供給される全体の電流を示す。以下、図５〜図７を用いて、本実施形態における光源部３５〜３８の駆動動作が説明される。
【００５７】
本実施形態では、図７に示されるように、制御部３４は、１フレーム期間Ｔｆにおける光源部３５〜３８の駆動期間として、光源部３５，３６の駆動期間を駆動期間Ｔ２１に決定し、光源部３７，３８の駆動期間を駆動期間Ｔ２２に決定する。本実施形態では、設定された点灯デューティ比を実現するために、１フレーム期間Ｔｆにおいて、駆動期間Ｔ２１と駆動期間Ｔ２２とは、図７に示されるように、重畳期間Ｔｓ２だけ重畳している。
【００５８】
また、制御部３４は、液晶表示パネル２における画素に対する画像データの書込み順（つまり図６中、上端から下端に向かう順）に合わせて、まず光源部３５，３６を駆動して点灯させ、光源部３５，３６の駆動開始後に光源部３７，３８を駆動して点灯させる。すなわち、制御部３４は、１フレーム期間Ｔｆの開始時に光源部３５，３６の駆動を開始して光源部３５，３６を点灯させ、駆動期間Ｔ２１の経過時に光源部３５，３６の駆動を終了して光源部３５，３６を消灯させる。また、制御部３４は、１フレーム期間Ｔｆの終了時から駆動期間Ｔ２２前の時点で光源部３７，３８の駆動を開始して光源部３７，３８を点灯させ、駆動期間Ｔ２２の経過時（つまり１フレーム期間Ｔｆの終了時）に光源部３７，３８の駆動を終了して光源部３７，３８を消灯させる。本実施形態において、光源部３５，３６が第１光源部の一例に相当し、光源部３７，３８が第２光源部の一例に相当し、駆動期間Ｔ２１が第１駆動期間の一例に相当し、駆動期間Ｔ２２が第２駆動期間の一例に相当する。
【００５９】
なお、本実施形態では、制御部３４は、１フレーム期間Ｔｆの開始時に光源部３５，３６の駆動を開始して光源部３５，３６を点灯させているが、これに限られない。例えば、制御部３４は、１フレーム期間Ｔｆの開始後に、光源部３５，３６の駆動を開始して光源部３５，３６を点灯させてもよい。また、制御部３４は、１フレーム期間Ｔｆの終了時に光源部３７，３８の駆動を終了して光源部３７，３８を消灯させているが、これに限られない。例えば、制御部３４は、１フレーム期間Ｔｆの終了前に光源部３７，３８の駆動が終了するように、光源部３７，３８の駆動開始を早めてもよい。
【００６０】
本実施形態では、図６に示されるように、光源部３５の複数のＬＥＤ及び光源部３６の複数のＬＥＤは、いずれも、液晶表示パネル２の上端に沿って配置されている。このため、液晶表示パネル２における画素に対する画像データの書込みに合わせて、光源部３５，３６を同時に駆動して点灯及び消灯させている。したがって、本実施形態では、光源部３５，３６を同時に駆動している期間を重畳期間とは言わない。同様に、本実施形態では、光源部３７，３８を同時に駆動している期間を重畳期間とは言わない。
【００６１】
本実施形態では、図７のセクション（Ａ）、（Ｂ）に示されるように、制御部３４は、駆動期間Ｔ２１のうち、重畳期間Ｔｓ２以外の期間Ｔｃ２１では、光源部３５，３６にそれぞれ一定電流Ｉｒが供給されるように、駆動信号として矩形波信号を光源部３５，３６に出力する。また、図７のセクション（Ｃ）、（Ｄ）に示されるように、制御部３４は、駆動期間Ｔ２２のうち、重畳期間Ｔｓ２以外の期間Ｔｃ２２では、光源部３７，３８にそれぞれ一定電流Ｉｒが供給されるように、駆動信号として矩形波信号を光源部３７，３８に出力する。
【００６２】
一方、重畳期間Ｔｓ２では、図７のセクション（Ａ）〜（Ｄ）に示されるように、制御部３４は、パルス幅Ｔｐ１のオン及びパルス幅Ｔｐ２のオフを繰り返すＰＷＭ信号を光源部３５〜３８に出力する。ここで、制御部３４は、オン期間に光源部３５〜３８に供給される電流のピーク値が２Ｉｒになるように、ＰＷＭ信号を光源部３５〜３８に出力する。このＰＷＭ信号によって、光源部３５〜３８は、それぞれ、パルス幅Ｔｐ１でオンし、パルス幅Ｔｐ２でオフするオンオフを繰り返す。また、制御部３４は、Ｔｐ２＝３Ｔｐ１に設定する。つまり、制御部３４は、ＰＷＭ信号による光源部３５〜３８のデューティを２５％に設定する。これによって、制御部３４は、図７のセクション（Ａ）〜（Ｄ）に示されるように、オンオフの位相をずらせたＰＷＭ信号を光源部３５〜３８にそれぞれ出力して、光源部３５〜３８のオン期間が重ならないようにしている。
【００６３】
ここで、重畳期間Ｔｓ２における、ＰＷＭ信号による光源部３５〜３８のデューティが２５％になっている。このため、制御部３４が、光源部３５〜３８に供給される電流のピーク値を２Ｉｒに設定することにより、光源部３５〜３８に供給される電流の実効値は、一定電流Ｉｒが供給される場合と等しくなる。したがって、光源部３５〜３８は、それぞれ、重畳期間Ｔｓ２において、一定電流Ｉｒが供給される場合の輝度に等しい輝度で点灯する。
【００６４】
したがって、光源部３５〜３８には、重畳期間Ｔｓ２では、同時に電流が供給されず、同時にオンしない。このため、電源部３３は、重畳期間Ｔｓ２の間は、光源部３５〜３８に合計で電流２Ｉｒを供給する。その結果、電源部３３は、電流２Ｉｒを供給できる電流容量を有することが必要になる。
【００６５】
一方、図７から分かるように、重畳期間Ｔｓ２の間も、光源部３５〜３８にＰＷＭ信号が出力されずに、期間Ｔｃ２１と同様に一定電流Ｉｒが光源部３５，３６に供給され、期間Ｔｃ２２と同様に一定電流Ｉｒが光源部３７，３８に供給される場合には、電源部３３は、電流４Ｉｒを供給できる電流容量を有することが必要になる。したがって、第２実施形態の図７の動作によれば、第１実施形態と同様に、電源部３３に必要な電流容量を削減することができる。
【００６６】
（その他）
上記第１実施形態の図３、図４に示される動作では、ＰＷＭ信号出力時のピーク電流を１．４Ｉｒとしているが、これに限られない。ピーク電流を１．４Ｉｒに代えてＫＩｒ（１＜Ｋ＜２）とし、光源部３１，３２のＬＥＤの特性に応じて値Ｋを設定すればよい。同様に、上記第２実施形態の図７に示される動作では、ＰＷＭ信号出力時のピーク電流を２Ｉｒとしているが、これに限られない。ピーク電流を２Ｉｒに代えてＬＩｒ（１＜Ｌ＜４）とし、光源部３５〜３８のＬＥＤの特性に応じて値Ｌを設定すればよい。
【００６７】
上記第１実施形態の図３、図４に示される動作では、制御部３４は、ＰＷＭ信号を出力するときに、光源部３１，３２のオン期間が重ならないように、ＰＷＭ信号のオンオフの位相を反対にしているが、これに限られない。光源部３１，３２のオン期間が多少重なってもよく、制御部３４は、光源部３１，３２に出力するＰＷＭ信号のオンオフの位相をずらせばよい。
【００６８】
同様に、上記第２実施形態の図７に示される動作では、制御部３４は、ＰＷＭ信号を出力するときに、Ｔｐ２＝３Ｔｐ１に設定してＰＷＭ信号のオンオフの位相をずらすことにより、光源部３５〜３８のオン期間が全く重ならないようにしているが、これに限られない。光源部３５〜３８のうち例えば２個の光源部のオン期間が多少重なってもよく、制御部３４は、光源部３５〜３８に出力するＰＷＭ信号のオンオフの位相をずらせばよい。
【００６９】
上記第１、第２実施形態では、光源部３１，３２，３５〜３８は、それぞれ発光ダイオードを含んでいるが、これに限られない。光源部３１，３２，３５〜３８は、例えば冷陰極蛍光管など、発光ダイオード以外の発光素子を含むようにしてもよい。
【産業上の利用可能性】
【００７０】
フレーム画像を表示する表示パネルと、表示パネルを背面から照明するバックライト部とを備えた表示装置において、光源部の駆動に要するコストの増大を抑制することができる表示装置及び当該表示装置の制御方法として有用である。
【符号の説明】
【００７１】
２  液晶表示パネル
３  バックライト部
３１，３２，３５〜３８  光源部
３４  制御部
【図１】
2013228436.tif 000003
【図２】
2013228436.tif 000004
【図３】
2013228436.tif 000005
【図４】
2013228436.tif 000006
【図５】
2013228436.tif 000007
【図６】
2013228436.tif 000008
【図７】
2013228436.tif 000009